【手続補正書】
【提出日】平成15年9月26日(2003.9.26)
【手続補正１】
【補正対象書類名】明細書
【補正対象項目名】特許請求の範囲
【補正方法】変更
【補正の内容】
【特許請求の範囲】
【請求項１】
入力装置および表示装置と接続されるコンピュータと、データを蓄積する記憶装置とにより、継続的に生産されている製品についてなされる改善の効果の検証を支援する方法において、
出荷した製品について付された製造番号とその製造日との対応関係を示すデータを前記記憶装置に蓄積し、
不良現象が発生した製品について、その製造番号対応にその不良現象を示す情報を前記記憶装置に蓄積し、
前記コンピュータにより、
ある不良現象の特定を前記入力装置により受け付けると、前記不良現象を示す情報を蓄積した記憶装置から、前記特定された不良現象に該当する製品の製造番号を取得し、当該製造番号を基に、前記製造番号と製造日との対応関係を示すデータを参照して、当該不良現象に該当する製品の製造日を取得し、得られたデータを用いて製造日毎の当該不良現象の発生数を求め、
前記求めた不良現象の発生数に基づいて、製造日の経過に伴う特定不良現象発生の程度の推移を示す情報を前記表示装置に表示させるデータを生成すること
を特徴とする改善効果検証支援方法。
【請求項２】
請求項１に記載の改善効果検証支援方法において、
前記コンピュータにより、
前記製造番号とその製造日との対応関係を示すデータに基づいて、製造日の経過に伴う製造台数の推移を示す情報を生成し、
前記特定不良現象発生の程度の推移を示す情報として発生台数の推移を示す情報を生成し、かつ、
前記製造台数の推移を示す情報と、特定不良現象発生台数の推移を示す情報とを、製造日を軸とするグラフとして前記表示装置に表示させるデータを生成すること
を特徴とする改善効果検証支援方法。
【請求項３】
請求項１に記載の改善効果検証支援方法において、
前記コンピュータにより、
前記製造番号とその製造日との対応関係を示すデータに基づいて、製造日の経過に伴う製造台数の推移を示す情報を生成し、
前記特定不良現象発生の程度の推移を示す情報として、前記製造台数に対する発生台数の割合の推移を示す情報を生成し、かつ、
前記製造台数に対する発生台数の割合の推移を示す情報を、製造日を軸とするグラフとして前記表示装置に表示させるデータを生成すること
を特徴とする改善効果検証支援方法。
【請求項４】
請求項２および３のいずれか一項に記載の改善効果検証支援方法において、
前記グラフを前記表示装置に表示させるデータは、製造日を横軸とする折れ線グラフを表示するデータであること
を特徴とする改善効果検証支援方法。
【請求項５】
入力装置および表示装置と接続されるコンピュータを有し、継続的に生産されている製品についてなされる改善の効果の検証を、前記コンピュータにより支援するシステムにおいて、
記憶装置を有し、出荷した製品について付された製造番号とその製造日との対応関係を示すデータを蓄積する第１の蓄積手段と、
記憶装置を有し、不良現象が発生した製品について、その製品の製造番号対応にその不良現象を示す情報を前記記憶装置に蓄積する第２の蓄積手段と、
前記コンピュータにより実現される手段であって、
ある不良現象についての特定を前記入力装置により受け付けると、前記第２の蓄積手段に蓄積されている不良現象を示す情報から、前記不良現象に該当する製品の製造番号を取得し、当該製造番号を基に、前記第１の蓄積手段に蓄積されている、製造番号と製造日との対応関係を示すデータを参照して、当該不良現象に該当する製品の製造日を取得し、製造日毎の当該不良現象の発生数を求める不良現象発生数算出手段と、
前記求めた不良現象の発生数に基づいて、製造日の経過に伴う特定不良現象発生の程度の推移を示す情報を前記表示装置に表示させるデータを生成する推移情報生成手段とを備えること
を特徴とする改善効果検証支援システム。
【請求項６】
出荷した製品について付された製造番号とその製造日との対応関係を示すデータを蓄積する製造管理システムと、不良現象が発生した製品について、その製造番号対応にその不良現象を示す情報を蓄積する修理管理システムとに接続されて、これらのシステムで蓄積されるデータを用いて、継続的に生産されている製品についてなされる改善の効果の検証を支援するシステムであって、
入力装置および表示装置に接続されるコンピュータにより実現される手段であって、
ある不良現象についての特定を前記入力装置により受け付けると、前記修理管理システムに蓄積されている製造番号対応に不良現象を示す情報から、前記不良現象に該当する製品の製造番号を取得し、当該製造番号を基に、前記製造管理システムに蓄積されている、製造番号と製造日との対応関係を示すデータを参照して、当該不良現象に該当する製品の製造日を取得し、製造日毎の当該不良現象の発生数を求める不良現象発生数算出手段と、
前記求めた不良現象の発生数に基づいて、製造日の経過に伴う特定不良現象発生の程度の推移を示す情報を前記表示装置に表示させるデータを生成する推移情報生成手段とを備えること
を特徴とする改善効果検証支援システム。
【請求項７】
請求項５および６のいずれか一項に記載の改善効果検証支援システムにおいて、
前記推移情報生成手段は、
前記製造番号とその製造日との対応関係を示すデータに基づいて、製造日の経過に伴う製造台数の推移を示す情報をさらに生成し、
前記特定不良現象発生の程度の推移を示す情報として発生台数の推移を示す情報を生成し、かつ、
前記製造台数の推移を示す情報と、特定不良現象発生台数の推移を示す情報とを、製造日を軸とするグラフとして前記表示装置に表示させるデータをさらに生成すること
を特徴とする改善効果検証支援システム。
【請求項８】
請求項５および６のいずれか一項に記載の改善効果検証支援システムにおいて、
前記推移情報生成手段は、
前記製造番号とその製造日との対応関係を示すデータに基づいて、製造日の経過に伴う製造台数の推移を示す情報をさらに生成し、
前記特定不良現象発生の程度の推移を示す情報として、前記製造台数に対する発生台数の割合の推移を示す情報を生成し、かつ、
前記製造台数に対する発生台数の割合の推移を示す情報を、製造日を軸とするグラフとして前記表示装置に表示させるデータをさらに生成すること
を特徴とする改善効果検証支援システム。
【請求項９】
請求項７および８のいずれか一項に記載の改善効果検証支援システムにおいて、
前記グラフを表示させるデータは、製造日を横軸とする折れ線グラフを表示するデータであること
を特徴とする改善効果検証支援システム。
【手続補正２】
【補正対象書類名】明細書
【補正対象項目名】０００６
【補正方法】変更
【補正の内容】
【０００６】
【課題を解決するための手段】
前記目的を達成するため、本発明によれば、
継続的に生産されている製品についての改善の効果を検証する場合に、
出荷した製品について付された製造番号とその製造日との対応関係を示すデータを記憶装置に蓄積し、
不良現象が発生した製品について、その製品の製造番号対応にその不良現象を示す情報を記憶装置に蓄積し、
ある不良現象を特定する情報に基づいて、前記不良現象を示す情報を蓄積した記憶装置から、前記特定された不良現象に該当する製品の製造番号を取得し、当該製造番号を基に、前記製造番号と製造日との対応関係を示すデータを参照して、当該不良現象に該当する製品の製造日を取得し、製造日毎の当該不良現象の発生数を求め、
前記求めた不良現象の発生数に基づいて、製造日の経過に伴う特定不良現象発生の程度の推移を示す情報を生成すること
を特徴とする。